(57)【特許請求の範囲】
【請求項１】
障子の召合せ框の小口に装着され、前記障子の戸車が組み込まれた戸車ユニットおいて、
前記戸車と、前記戸車を回転自在に保持する戸車ホルダと、前記召合せ框の小口に装着されると共に前記戸車ホルダを上下方向にスライド自在に保持する本体ケースと、前記戸車ホルダを介して前記戸車を位置調節可能に構成した戸車調節機構と、を有するユニット本体と、
前記ユニット本体の前記戸車ホルダに取り付けられ、前記戸車が転動する下枠のレール間を見付け方向に流れる排水を止水する止水片と、を備え、
前記戸車ホルダには、前記止水片を取り付けるための止水片受け部が形成され、且つ前記止水片には、前記止水片受け部に装着される止水片装着部が形成され、
前記止水片装着部には、横向き係合部および縦向き係合部が形成され、
前記止水片受け部には、前記横向き係合部に対応する横向き受け部および前記縦向き係合部に対応する縦向き受け部が形成されていることを特徴とする戸車ユニット。
【請求項２】
前記本体ケースには、対峙する召合せ框を引き寄せるための引寄せ部が一体に形成されていることを特徴とする請求項１に記載の戸車ユニット。
【請求項３】
請求項１または２に記載の戸車ユニットを、備えたことを特徴とする浴室引戸。
【発明の詳細な説明】
【技術分野】
【０００１】
本発明は、障子の召合せ框の小口に装着される戸車ユニットおよびこれを備えた浴室引戸に関するものである。
【背景技術】
【０００２】
従来の浴室引戸の障子には、その召合せ框の下端小口に戸車ユニットが装着されると共に、召合せ框の下端部に下枠のレール間を見付け方向に流れる排水を止水するシールブロックが取り付けられている（特許文献１）。シールブロックは、取付部とこれに設けたシール材とから成り、召合せ框に対し、２段階で上下位置調節可能にビス止めされている。
【特許文献１】特開２００１−１２１６０号公報
【発明の開示】
【発明が解決しようとする課題】
【０００３】
このような従来の戸車ユニットおよびシールブロックでは、これらを個別に召合せ框に取り付ける構造であるため、両者の取付け作業、特に高さ調整を含む取付け作業が煩雑になる問題があった。
【０００４】
本発明は、下枠のレール間を見付け方向に流れる排水を止水する止水片を、戸車と共に障子の召合せ框に簡単に取り付けることができる戸車ユニットおよびこれを備えた浴室引戸を提供することをその課題としている。
【課題を解決するための手段】
【０００５】
本発明の戸車ユニットは、障子の召合せ框の小口に装着され、障子の戸車が組み込まれた戸車ユニットおいて、戸車と、戸車を回転自在に保持する戸車ホルダと、召合せ框の小口に装着されると共に戸車ホルダを上下方向にスライド自在に保持する本体ケースと、戸車ホルダを介して戸車を位置調節可能に構成した戸車調節機構と、を有するユニット本体と、ユニット本体の戸車ホルダに取り付けられ、戸車が転動する下枠のレール間を見付け方向に流れる排水を止水する止水片と、を備え、戸車ホルダには、止水片を取り付けるための止水片受け部が形成され、且つ止水片には、止水片受け部に装着される止水片装着部が形成され、止水片装着部には、横向き係合部および縦向き係合部が形成され、止水片受け部には、横向き係合部に対応する横向き受け部および縦向き係合部に対応する縦向き受け部が形成されていることを特徴とする。
【０００６】
この構成によれば、排水を止水する止水片が、戸車を有するユニット本体に取り付けられているため、障子の召合せ框の小口にユニット本体を装着することで、同時に、止水片を召合せ框に取り付けることができる。このため、ユニット本体と止水片とを個別に召合せ框に取り付けることができ、これらの取付け作業を簡略化することができる。また、止水片がユニット本体に取り付けられているため、運搬や保管において止水片の紛失が防止でき、止水片の取扱いや管理が容易になる。なお、止水片は、完全なシールではなく、レール間を見付け方向に流れる走り水（排水）を抑制する程度のものであればよい。また、止水片は、ユニット本体に対し高さ調節可能に取り付けられていることが、好ましい。
一方、予め戸車と止水片との高さ関係を適切なものに設定しておけば、戸車ホルダを介して戸車を位置調節する際に、同時に、止水片の位置調節を行うことができる。なお、止水片が縦長である場合には、召合せ框の下端部にスリットを形成し、止水片を収めるようにすることが好ましい。
さらに、止水片に縦横のいずれの力が加わっても、これが戸車ホルダから離脱することがなく、且つ止水片の戸車ホルダへの装着を容易に行うことができる。
【０００９】
この場合、本体ケースには、対峙する召合せ框を引き寄せるための引寄せ部が一体に形成されていることが、好ましい。
【００１０】
この構成によれば、障子の閉塞時に、引寄せ部により対峙する召合せ框を引寄せることができ、通常、障子に別途設ける下部引寄せ部材を省略することができる。
【００１３】
本は発明の浴室引戸は、上記した戸車ユニットを備えたことを特徴とする。
【００１４】
この構成によれば、戸車や止水片の機能を損なうことなく、全体として部品点数や組付け工数を削減することができる。
【発明の効果】
【００１５】
以上のように、戸車ユニットおよびこれを備えた浴室引戸によれば、障子の開閉に供する戸車の機能と、召合せ框間の止水機能とを単一の戸車ユニットに併せ持たせることができ、浴室引戸の構造を単純化することができる。
【発明を実施するための最良の形態】
【００１６】
以下、添付図面を参照して、本発明の一実施形態に係る戸車ユニットを適用した浴室引戸について説明する。図１の部分縦断面図（ａ）および横断面図（ｂ）に示すように、浴室引戸１は、３枚の障子２ａ，２ｂ，２ｃから成る３枚引戸２と、３枚引戸２を開閉自在に支持する枠体３と、で構成されている。３枚の障子２ａ，２ｂ，２ｃのうち戸尻側に位置する戸尻障子２ｃは縦枠５に固定され、戸先側に位置する戸先障子２ａにはハンドル６が固定されている。ハンドル６を持って３枚引戸２を開閉移動させると、戸尻障子２ｃに対し、戸先障子２ａと中間に位置する中間障子２ｂとが連なって開閉される。また、これら戸先障子２ａ、中間障子２ｂおよび戸尻障子２ｃの開閉を案内すべく、下枠７上には浴室Ａ側から第１レール８、第２レール９および第３レール１０が立設されている。
【００１７】
戸先障子２ａの戸先縦框１２および召合せ框１３には、それぞれの下小口に戸車ユニット２０Ａ，２０Ｂが装着されており、この２つの戸車ユニット２０Ａ，２０Ｂにより、戸先障子２ａは第１レール８上を転動する。また、中間障子２ｂの戸先召合せ框１４および戸尻召合せ框１５には、それぞれの下小口に戸車ユニット２０Ｂ，２０Ｂが装着されており、この２つの戸車ユニット２０Ｂ，２０Ｂにより、中間障子２ｂは第２レール９上を転動する。さらに、戸尻障子２ｃの召合せ框１６および戸尻縦框１７には、それぞれの下小口に戸車ユニット２０Ｂ，２０Ａが装着されており、この２つの戸車ユニット２０Ｂ，２０Ａにより、戸尻障子２ｃは第３レール１０上を転動する。そして、この複数の戸車ユニット２０Ａ，２０Ｂのうち各召合せ框１３，１４，１５，１６には、同一形態の特殊な戸車ユニット２０Ｂが装着されている。もっとも、戸先縦框１２および戸尻縦框１７には、この特殊な戸車ユニット２０Ｂが装着してもよい。
【００１８】
以下、この特殊な戸車ユニット２０Ｂを、戸先障子２ａの召合せ框１３に装着したものを例に、詳細に説明する。図２および図３に示すように、戸車ユニット２０Ｂは、戸車２２を回転自在に保持すると共に召合せ框１３の下小口１３ａに装着されるユニット本体２１と、後述するユニット本体２１の戸車ホルダ２３に取り付けられ、第１・第２レール８，９間を見付け方向に流れる排水を止水する止水片２４と、で構成されている。また、ユニット本体２１は、本来の戸車ユニットの形態を有しており、戸車２２と、戸車２２を回転自在に保持する戸車ホルダ２３と、召合せ框１３の下小口１３ａに装着されると共に戸車ホルダ２３を上下方向にスライド自在に保持する本体ケース２５と、戸車ホルダ２３を介して戸車２２を上下調節可能な戸車調節機構２６と、で構成されている。
【００１９】
本体ケース２５は、召合せ框１３の下小口１３ａから下方に突出するベース部３１と、ベース部３１から上方に連なるハウジング部３２とから成り、ベース部３１およびハウジング部３２の内部空間に、下側から戸車ホルダ２３がスライド自在に装着されている（図２（ｂ）参照）。ハウジング部３２の戸尻側の見込み面には、バネ性を有する下向きの掛止め片３４が設けられており、この掛止め片３４の表面に設けた円形突起３５が、召合せ框１３の下端部（見込み面）１３ｂに形成した丸孔（図示省略）にスナップインで係止されることにより、ユニット本体２１が召合せ框１３の下小口１３ａに抜止め状態で装着される。また、この装着状態で、ベース部３１とハウジング部３２との間の段部３６が下小口１３ａに当接する。
【００２０】
ハウジング部３２の上部には、斜めに傾けて角ナット３７が装着（内蔵）されており、この角ナット３７には、斜め上側から調節ネジ３８が螺合している（図２（ａ）参照）。調節ネジ３８の先端は、ハウジング部３２に収容した戸車ホルダ２３の上斜面に回転自在に係合しており、調節ネジ３８の正逆回転により、戸車ホルダ２３を介して戸車２２の出没寸法（上下位置）を調節できるようになっている。すなわち、調節ネジ３８と角ナット３７とにより、上記の戸車調節機構２６が構成されている。なお、この調整は、召合せ框１３の下端部１３ｂにおいて上記の丸孔（図示省略）の更に上方に形成した丸孔（図４参照：キャップが装着されている）１３ｃから行う。
【００２１】
ベース部３１の下部には、第１レール８を逃げる逆「Ｕ」字状に通し溝４１が形成されると共に、その召合せ側の見付け面において、対向するように引寄せ部４２および止水片ガイド部４３が突設されている。引寄せ部４２は、対向する戸先召合せ框１４の戸車ユニット２０Ｂに形成した引寄せ部４２に係合して、召合せ框１３および戸先召合せ框１４を相互に引寄せるものであり、止水片ガイド部４３に向かって横断面フック形状に形成されている（図４参照）。また、引寄せ部４２の上部には、上側が開放された嵌合スリット４２ａが形成され、この嵌合スリット４２ａに上側から召合せ框１３の煙返し１８の下端が嵌合するようになっている。止水片ガイド部４３は引寄せ部４２に対し、止水片２４が臨む間隙を存して対峙しており、戸先召合せ框１４に接触する止水片２４が極端に湾曲しないように、引寄せ部４２と共に位置規制している。さらに、引寄せ部４２と止水片ガイド部４３との間の間隙の延長上において、ベース部３１およびハウジング部３２に亘って、後述する止水片受け部５７が突出する縦スリット４４が形成されている。
【００２２】
戸車ホルダ２３は、本体ケース２５のベース部３１に収容される下ホルダ部５１と、本体ケース２５のハウジング部３２に収容される上ホルダ部５２と、で一体に形成されている。下ホルダ部５１は、前後一対の張出し部分を有しており（図２（ｂ）参照）、その下部には、内蔵した戸車２２が突出する下開口部５４が形成されている。上ホルダ部５２の両見込み面（前後）には、バネ性を有する一対の抜止め突起５６，５６が切り起すように形成されている（図３（ｂ）参照）。また、上ホルダ部５２の召合せ側の見付け面には、縦長の止水片受け部５７が一体に突設されている。止水片受け部５７は、長方形の板状に形成され、その上部には下向きカギ状の縦向き受け部５７ａが切り欠くように形成され、また下部には、横向きカギ状の横向き受け部５７ｂが切り欠くように形成されている。また、止水片受け部５７の召合せ側の端面から下端面にかけて「Ｌ」字の係合溝５７ｃが形成されている。そして、この縦向き受け部５７ａ、横向き受け部５７ｂおよび係合溝５７ｃに係合させるようにして、止水片２４が装着されている（詳細は後述する）。
【００２３】
上ホルダ部５２の上面は、上記の角ナット３７に平行な傾斜面となっており、この傾斜面には、角ナット３７に螺合した上記の調節ネジ３８の先端が回転自在に係止される金属性の受け板５８が装着されている。調節ネジ３８を正逆回転させると、受け板５８を介して戸車ホルダ２３がハウジング部３２の内面を案内にして上下する。これにより、戸車２２の出没寸法（上下位置）を調節できるようになっている。さらに、上ホルダ部５２の中央部には、戸車２２を回転自在に軸支する支軸５９が貫通している。
【００２４】
一方、止水片２４は、ゴム等の弾性材で構成され、略「Ｌ」字状の止水片本体６１と、止水片本体６１の内側上部から下向きカギ状に延設された縦向き係合部６２と、止水片本体６１の内側下部から横向きカギ状に延設された横向き係合部６３と、止水片本体６１の内端面（内側）に沿って設けた狭幅の係合片部６４と、止水片本体６１の外側に添うように設けた２枚の鰭片６５，６５と、で一体に形成されている。縦向き係合部６２は、止水片受け部５７の縦向き受け部５７ａと相補的形状を為し、縦向き受け部５７ａに係合する。同様に、横向き係合部６３は、止水片受け部５７の横向き受け部５７ｂと相補的形状を為し、横向き受け部５７ｂに係合する。また、係合片部６４は、止水片受け部５７の係合溝５７ｃと相補的形状を為し、係合溝５７ｃと係合する。これにより、止水片２４が戸車ホルダ２３の止水片受け部５７に取り付けられている。
【００２５】
２枚の鰭片６５，６５は、「Ｌ」字状の同一形状を為すと共に僅かな間隙を存して相互に平行に配設されている。そして、両鰭片６５，６５の縦片が、対峙する戸先召合せ框１４の下端部に密接し（図４参照）、横片（下片）が、下枠７の第１・第２レール８，９間の上面に密接するようになっている。これにより、下枠７上を浴室Ａ側から脱衣室Ｂ側に見付け方向に流れる走り水（排水）が止水され、排水が、第２・第３レール９，１０を越えて脱衣室Ｂ側に流出するのを防止している。
【００２６】
このような戸車ユニット２０Ｂでは、ユニット本体２１に止水片２４が組み込まれているため、戸車ユニット２０Ｂを召合せ框１３に装着するだけで、同時に止水片２４をもこれに装着することができる。さらに、止水片２４は戸車ホルダ２３に取り付けられているため、戸車ホルダ２３の高さ調節に併せて止水片２４の高さ調節も行うことができ、利便性を更に高めることができる。なお、止水片２４は走り水を押さえることができればよいため（シールの必要性は少ない）、これをユニット本体２１の本体ケース２５に取り付けるようにしてもよい。また、本実施形態では、戸車ユニット２０Ｂを３枚引戸に適用した場合について説明したが、２枚引戸や片引戸にも適用できることは、いうまでもない。
【図面の簡単な説明】
【００２７】
【図１】実施形態に係る浴室引戸の部分縦断面図（ａ）および横断面図（ｂ）である。
【図２】戸車ユニットの外観斜視図（ａ）、分解斜視図（ｂ）および装着状態の斜視図（ｃ）である。
【図３】戸車ユニットの構造図である。
【図４】戸車ユニットをそれぞれ装着した召合せ框および戸先召合せ框の断面図である。
【符号の説明】
【００２８】
１…浴室引戸  ２ａ…戸先障子  ２ｂ…中間障子  ２ｃ…戸尻障子  ３…枠体  ７…下枠  ８…第１レール  ９…第２レール  １０…第３レール  １３…召合せ框  １３ａ…下小口  １４…戸先召合せ框  ２０Ｂ…戸車ユニット  ２１…ユニット本体  ２２…戸車  ２３…戸車ホルダ  ２４…止水片  ２５…本体ケース  ２６…戸車調節機構  ３７…角ナット  ３８…調節ネジ  ４２…引寄せ部  ４３…止水片ガイド部  ５７…止水片受け部  ５７ａ…縦向き受け部  ５７ｂ…横向き受け部  ６１…止水片本体  ６２…縦向き係合部  ６３…横向き係合部  Ａ…浴室  Ｂ…脱衣室
【図１】
0004495075.tif 000002
【図２】
0004495075.tif 000003
【図３】
0004495075.tif 000004
【図４】
0004495075.tif 000005